(57)【要約】      （修正有）【課題】体積の縮小ができ、運輸コストの低減ができ、各部品の表面に異なる色のペンキを塗ることや表面材を張る金属箪笥パネル構造の提供。【解決手段】箪笥や箪笥の扉の周りは、中空管１０からなり、中空管と中空管とが形成した各面には、弾性ボタン４０により、パネル５０が結合され、当該中空管上には、係合内穴１３が設置され、弾性ボタンは、Ｕ形状であるため、弾力を持ち、その両端に外へ延ばす係合ピン４１があり、下方に、一体的に係合部４２が凸設され、係合ピンと係合部との間には、係合槽４３が形成され、また、弾性ボタンの底部から、挿結段４４が延び出して、パネルの周りには、内へ湾曲するように、張り合い縁５１が形成され、当該張り合い縁は、係合内穴に対応する位置に係合外穴５２が形成され、当該弾性ボタンは、係合内穴と係合外穴とを貫通してその間に設置され、中空管とパネルとが結合される。【選択図】図３
0003113010.tif 000002
【実用新案登録請求の範囲】
【請求項１】
箪笥の周りに、中空管により、四角形の立体枠体が組み立てられる金属箪笥パネル構造であって、
各中空管の対向する面上には、貫通する係合内穴が設けられ、弾性ボタンは、両端から外へ延ばし出す係合ピンが形成され、下方に、一体的に係合部が凸設され、係合ピンと係合部との間には、係合槽が形成され、パネルの周りには、内へ湾曲するように、張り合い縁が形成され、当該張り合い縁は、各中空管に対応し、また、係合内穴に対応する、貫通する係合外穴が設けられ、
上記の構造により、当該張り合い縁が各対応する中空管に位置付けられることにより、パネルが、各中空管が形成した中空の空間に固定され、弾性ボタンが、係合内穴と係合外穴に押し入れられ、下方において、係合部が係合内穴の中へ滑り込み、上方において、係合ピンをストッパーとして、位置付けられることにより、パネルと中空管とが固定される、ことを特徴とする金属箪笥パネル構造。
【請求項２】
弾性ボタンは、Ｕ形状である、ことを特徴とする請求項１に記載の金属箪笥パネル構造。
【請求項３】
弾性ボタンの底部から、挿結段が延ばしだして、弾性ボタンは、より容易に係合外穴と係合内穴の中に押し入れる、ことを特徴とする請求項１に記載の金属箪笥パネル構造。
【請求項４】
箪笥の正面に、箪笥の扉が設置され、箪笥の扉の辺は、ともに中空管で、内部において、弾性ボタンによりパネルを結合する、ことを特徴とする請求項１に記載の金属箪笥パネル構造。
【考案の詳細な説明】
【技術分野】
【０００１】
本考案は、金属製品を主な部品として、各部品を組み合わせると、品物を收納する金属箪笥であって、金属箪笥に使用される「金属箪笥パネル構造」について改良する設計に関する。
【背景技術】
【０００２】
今において、箪笥の種類が様々であり、組み合わせ式の設計が多く、それは、取り外す時、互いに畳まれて収納されることができ、包装の体積が縮小されるためであり、従来の箪笥家具は、出荷する時、釘やネジ或いは半田付けにより固定されるため、分解できず、そのため、運輸する時、箪笥のある最大の面積で運搬しなければならないから、運搬するには、不便であり、そして、面積が大きいため、運搬や運輸のコストが増加し、特に、輸出する商品や長距離運輸が必要である商品は、運輸のコストが更に高くなり、そのため、多い商品が分解できる方式を取り、出荷する時、組み立てされない半成品で、目的地に運輸された後、組み立てられて使用される。
【０００３】
今において、組み合わせ式の箪笥は、構造が様々であり、木材質でありロックされて結合されるものや、木質と金属レバーでありロックされて結合されるものが多くて、金属板で組み合わせられて結合されるのが少なく、それは、金属板の強度が良いが、ＤＩＹの方式で組み立てられる場合、金属板が薄いためロックして結合することが難しいため、出荷する時、点溶接や熱溶接等の加工で結合し、今において、金属箪笥は、ＤＩＹで組み立てられなく、運輸のコストが高くて、海外への輸出販売がやり難く、また、点溶接や熱溶接で結合する場合、点溶接や熱溶接で結合した後、直接に同じな色のペンキを塗ることしかできず、そのため、本考案者は、如何に金属板で、互いに係合し、ロックして安定な、多様化である箪笥を、研究開発と改良のキーポイントとする。
【０００４】
本考案者は、多年の経験に基づいて、設計や多方面の検討そしてサンプルを試作して試験することにより、多数回の修正改良を介して、本考案を提案した。
【考案の開示】
【考案が解決しようとする課題】
【０００５】
従来の金属箪笥は、ＤＩＹで組み立てられないため、運輸のコストが高くて、海外へ輸出することが難しくて、また、点溶接や熱溶接で結合する場合、結合した後、直接に同じな色のペンキを塗ることしかできず、また、他の組み合わせにより変化させることができなく、例えば、異なる色の組み合わせ或いは木目や石理の張りなどができないため、ＤＩＹの取り外しや組み合わせ及び商品の多様化の増加は、解決しなければならない問題点である。
【課題を解決するための手段】
【０００６】
本考案は、箪笥や箪笥の扉の周りは、中空管からなり、中空管と中空管とが形成した各面に、弾性ボタンによりパネルが結合され、当該中空管上に、係合内穴が設置され、弾性ボタンが、Ｕ形状であるため、弾力を持ち、その両端に外へ延ばす係合ピンがあり、下方に一体的に係合部が凸設され、係合ピンと係合部との間に、係合槽が形成され、また、弾性ボタンの底部から、挿結段が延び出して、パネルの周りに、内へ湾曲するように、張り合い縁が形成され、当該張り合い縁において、係合内穴に対応する位置に係合外穴が形成され、当該弾性ボタンが、係合内穴と係合外穴とを貫通してその間に設置され、これにより、中空管とパネルとが結合される、金属箪笥パネル構造を提供する。
【考案の効果】
【０００７】
本考案は、次のような効果が得られる。
【０００８】
（一）本考案に係わる金属箪笥パネル構造によれば、各中空管とパネルとは、組み立てブロックと弾性ボタンにより、簡単に組み立てられるか取り外されることができ、そのため、取り外してから包装すると、体積の縮小ができて、運輸に有利的で、大幅に運輸のコストダウンができる。
【０００９】
（二）本考案に係わる金属箪笥パネル構造によれば、各中空管とパネルは、独自な設計で、係合やロックにより固定されるため、各中空管やパネルにそれぞれ異なる色のペンキを塗ること或いは木目や石理を張ることにより、ＤＩＹで異なる色や図柄の設計ができ、多様化の組み合わせが実現される。
【考案を実施するための最良の形態】
【００１０】
図面と符号の説明を参照しながら、本考案の目的や特徴及び機能を詳しく説明する。
【００１１】
図１、２のように、箪笥（1）は、周りに、中空管（10）が隅部で組み立てブロック（20）により結合され、四角形の立体枠体であり、箪笥（1）の正面に箪笥の扉（2）を設置することもでき、箪笥の扉（2）の四つの辺には、ともに中空管（30）が含有され、前記の中空管（10）と中空管（30）が形成した各面上に、弾性ボタン（40）によりパネル（50）が結合され、また、図３の局部拡大図を参照しながら、中空管（10）は、四角形であり、端部の内側の隅部にロック穴（11）が設けられ、また、当該端部と対接する中空管（10）は、端部にそれぞれ嵌合穴（12）が設置され、各中空管（10）が対向する面に、貫通する係合内穴（13）が形成され、組み立てブロック（20）は、二つの中空管（10）に合わせる対角形状であり、中央に貫通穴（21）が形成され、ネジ（22）によって固定され、また、中空管（10）と接する面上に、嵌合突出（23）が凸設され、箪笥の扉（2）の中空管（30）は、中空管（10）と同じように、各対向面上にも係合内穴（31）が形成され、弾性ボタン（40）がＵ形状で、弾力を持ち（図４のように）、その両端から外へ延ばし出す係合ピン（41）があり、下方に、一体的に係合部（42）が凸設され、これにより、係合ピン（41）と係合部（42）との間に、係合槽（43）が形成され、また、弾性ボタン（40）の底部に、挿結段（44）が延ばし出され、当該挿結段（44）がやや小さい円弧面や傾斜面で、パネル（50）の周りに、内へ湾曲するように張り合い縁（51）が形成され、当該張り合い縁（51）が、各中空管（10）、（30）に対応し、また、係合内穴（13）、（31）に対応する位置に貫通する係合外穴（52）が設けられ、また、箪笥の扉（2）の一側辺と対応する箪笥（1）の内側辺に、それぞれ、互いに結合するための掛け金（3）が設置される。
【００１２】
組み立てる時、図５、６を参照しながら、嵌合穴（12）を有する二つの中空管（10）を、ロック穴（11）を有する中空管（10）の端部にある両対角に合わせて、組み立てブロック（20）で結合して、組み立てブロック（20）は、嵌合突出（23）を嵌合穴（12）に嵌入することにより、当該二つの中空管（10）に挿入し、ネジ（22）で中央にある貫通穴（21）を貫通して中空管（10）のロック穴（11）上にロックされ、これにより、当該三つの中空管（10）は、結合されて固定され、残りの各辺も、同じ方法によって組み立てられ、これにより、立体枠体が形成され、パネル（50）は、各中空管（10）、（30）が形成した中空の空間に嵌入し、張り合い縁（51）が各対応する中空管（10）の中に位置し、この時、係合内穴（13）、（31）が係合外穴（52）に対応し、また、図７、８を参照しながら、弾性ボタン（40）の挿結段（44）を係合内穴（13）、（31）と係合外穴（52）に押し入れて、弾力により係合部（42）が係合内穴（13）、（31）の中へ滑り込み、上方の係合ピン（41）をストッパーとして、位置付けられ、これにより、係合内穴（13）、（31）と係合外穴（52）が係合槽（43）の中に位置することにより、パネル（50）と中空管（10）、（30）が固定される。
【００１３】
上記の具体的な実施例の構造によれば、次の効果が得られる。
【００１４】
（一）各中空管（10）とパネル（50）とは、組み立てブロック（20）と弾性ボタン（40）により、簡単に組み立てられるか取り外されることができ、そのため、取り外してから包装すると、体積の縮小ができて、運輸に有利的で、大幅に運輸のコストダウンができる。
【００１５】
（二）各中空管（10）とパネル（50）は、独自な設計で、係合やロックにより固定されるため、各中空管（10）やパネル（50）にそれぞれ異なる色のペンキを塗ること或いは木目や石理を張ることにより、ＤＩＹで異なる色や図柄の設計ができ、多様化の組み合わせが実現される。
【００１６】
上記のように、本考案は、確実に、実用な効果が得られ、また、刊行物に披露されることがなく、実用新案登録の要件を満たすため、法に従って出願する。
【００１７】
上記の実施例は、ただ、本考案のより良い実施例であり、本考案は、それによって制限されることがなく、本考案の技術手段や設計原理に従う再考案は、全てが、本考案の実用新案登録の範囲に含まれている。
【図面の簡単な説明】
【００１８】
【図１】本考案の立体組み立て図
【図２】本考案の立体分解図
【図３】本考案の局部立体分解拡大図
【図４】本考案に係わる弾性ボタンの立体拡大図
【図５】本考案において、各中空管が組み立てブロックによって結合される時の立体拡大図
【図６】本考案において、各中空管が組み立てブロックによって結合される時の断面拡大図
【図７】本考案において、中空管とパネルが弾性ボタンによって結合される時の立体拡大図
【図８】本考案において、中空管とパネルが弾性ボタンによって結合される時の断面拡大図
【符号の説明】
【００１９】
箪笥−−−−−−−（1）     箪笥の扉−−−−（2）
掛け金−−−−−−（3）     
中空管−−−−−−（10）    ロック穴−−−−（11）
嵌合穴−−−−−−（12）    係合内穴−−−−（13）
組み立てブロック−（20）    貫通穴−−−−−（21）
ネジ−−−−−−−（22）    嵌合突出−−−−（23）
中空管−−−−−−（30）    係合内穴−−−−（31）
弾性ボタン−−−−（40）    係合ピン−−−−（41）
係合部−−−−−−（42）    係合槽−−−−−（43）
挿結段−−−−−−（44）
パネル−−−−−−（50）    張り合い縁−−−（51）
係合外穴−−−−−（52）
【図１】
0003113010.tif 000003
【図２】
0003113010.tif 000004
【図３】
0003113010.tif 000005
【図４】
0003113010.tif 000006
【図５】
0003113010.tif 000007
【図６】
0003113010.tif 000008
【図７】
0003113010.tif 000009
【図８】
0003113010.tif 000010